(57)【要約】      （修正有）【課題】住宅の様々な開口に対して簡易に配設可能なスライド式吊り下げ布地（パネル型カーテン）を提供する。【解決手段】スライド式吊り下げ布地１は、１本の吊り下げポール７に対して複数の吊り下げ布地２Ａ〜２Ｄが吊り下げられ、個々の吊り下げ布地２Ａ〜２Ｄが吊り下げポール７に対してスライド移動する。そして、住宅の開口等に対して、吊り下げポール７を準備し、開口の大きさに応じて吊り下げ布地の枚数を調整することで、簡易に配設することが可能である。【選択図】図１
0003203163.tif 000002
【実用新案登録請求の範囲】
【請求項１】
吊り下げ布地と、
前記吊り下げ布地の上端側へ設けられ、吊り下げポールが挿通される２つ以上の輪状部と、を有し、
複数の前記吊り下げ布地は一本の前記吊り下げポールに対してそれぞれ前記輪状部を介して吊り下げた状態にて配設され、前記複数の吊り下げ布地はそれぞれ前記一本の吊り下げポールに対してスライドすることを特徴とするスライド式吊り下げ布地。
【請求項２】
前記輪状部は、前記吊り下げ布地に縫製されているタグまたは前記吊り下げ布地の一部を開口した開口部またはリング式クリップランナーであることを特徴とする請求項１に記載のスライド式吊り下げ布地。
【請求項３】
前記吊り下げ布地の前記上端側は折り返され重畳して縫製され、前記重量領域には前記一本の吊り下げポールの延在方向に開口した収納部が形成され、
前記収納部には前記一本の吊り下げポールに沿って布地固定用棒が挿入されていることを特徴とする請求項２に記載のスライド式吊り下げ布地。
【請求項４】
前記タグ内側の前記一本の吊り下げポールと接触する領域には摺動生地が縫合されていることを特徴とする請求項２または請求項３に記載のスライド式吊り下げ布地。
【請求項５】
前記複数の吊り下げ布地には、第１の吊り下げ布地と、前記第１の吊り下げ布地とその一部が常時重畳して配設される第２の吊り下げ布地と、を有し、
前記第１及び第２の吊り下げ布地にはそれぞれ前記上端側の両端部に前記タグが取り付けられ、
前記第２の吊り下げ布地側に位置する前記第１の吊り下げ布地の前記タグは、前記第１の吊り下げ布地側に位置する前記第２の吊り下げ布地の前記タグよりも前記第２の吊り下げ布地側へ配設されていることを特徴とする請求項２から請求項４のいずれか１項に記載のスライド式吊り下げ布地。
【請求項６】
前記吊り下げ布地は、カーテン用布地または暖簾用布地であることを特徴とする請求項１から請求項５のいずれか１項に記載のスライド式吊り下げ布地。
【考案の詳細な説明】
【技術分野】
【０００１】
本考案は、複数枚の吊り下げ布地が一本の吊り下げポールに対して簡易に配設され、個々の吊り下げ布地が吊り下げポールに対してスライド可能なスライド式吊り下げ布地に関する。
【背景技術】
【０００２】
従来のパネル型カーテンの一実施例として、下記の構造が知られている。
【０００３】
図５（Ａ）はパネル型カーテンの吊り下げた状態を説明する外観斜視図であり、既設の１本のカーテンレール１０１には、その溝内に複数のランナー１０２が摺動可能に取り付けられ、各ランナー１０２には係止用リング１０３が嵌め込まれている。
【０００４】
吊り下げ具１０４は、その側面にて矩形状のパネル状カーテン材１０５を支持しており、その上部には係止用フック１０６が設けられている。そして、係止用フック１０６が係止用リング１０３に引っ掛けるように係止されることで、吊り下げ具１０４及びパネル状カーテン材１０５が、カーテンレール１０１に吊り下げられる。
【０００５】
図５（Ｂ）は吊り下げ具１０４の一方の側面からみた外観斜視図であり、図５（Ｃ）は吊り下げ具１０４の他方の側面からみた外観斜視図である。図５（Ｂ）は吊り下げ具１０４の室内側に位置する側面を示し、吊り下げ具１０４の一端には、連結バー１０７が室内側へと直立するように設けられ、連結バー１０７の先端部には円板状の係合部材１０８が回転自在に取り付けられている。
【０００６】
図５（Ｃ）は吊り下げ具１０４の室外側に位置する側面を示し、吊り下げ具１０４の延在方向に沿って溝部１０９が設けられ、溝部１０９には円形状の係合部材１０８が勘合し、係合部材１０８がその内部を移動する。
【０００７】
吊り下げ具１０４同士は、係合部材１０８が溝部１０９へと勘合することで連結し、１本のカーテンレール１０１に対して複数のパネル状カーテン材１０５が吊り下げられている（例えば、特許文献１参照。）。
【先行技術文献】
【特許文献】
【０００８】
【特許文献１】特開２０１２−７５４６０号公報（第４−６頁、第１−３図）
【考案の概要】
【考案が解決しようとする課題】
【０００９】
上述したパネル型カーテンでは、既設のカーテンレール１０１、ランナー１０２及び係止用リング１０３を利用することで、１本のカーテンレール１０１に対して複数のパネル状カーテン材１０５が吊り下げられている。
【００１０】
しかしながら、上記構造は吊り下げ具１０４同士が連結することで実現できる構造であり、開口幅に応じて複数の吊り下げ具１０４を用意する必要がありコストアップに繋がるという問題がある。
【００１１】
また、連結される吊り下げ具１０４の数が増加するにつれて、連結された吊り下げ具１０４はカーテンレール１０１から室内側へ遠ざかるため、係止用フック１０６の形状が長くなる等、長期間、安全にパネル型カーテンを使用するための構造上の工夫が必要となる。
【００１２】
例えば、吊り下げ具１０４及びパネル状カーテン材１０５が、常時、一定の高さに維持され、スライド動作するためには、係止用フック１０６の剛性や耐久性等を考慮して設計する必要があり、材料費用等コストアップに繋がる。
【００１３】
更には、上述したパネル型カーテンでは、既設のカーテンレール１０１を利用して配設される構造のため、カーテンレール１０１が取り付けられていない箇所には利用出来ないか、あるいは、新たにカーテンレールも取り付ける必要があるという問題がある。
【００１４】
近年の住宅や店舗では、自由設計による居住空間の多種多様化により、居住空間の間仕切り方や、戸口や間口の大きさ、幅、高さ等も異なっている。そして、各居住空間での冷暖房効率の向上や、例えば、玄関からリビングへの視線を遮る等、各居住空間を仕切る為のカーテンや暖簾等も多種多様化している。そのため、これらの条件下においてユーザーの要望を満たすためには、簡易に取り付けて使用ができ、デザイン性に優れたカーテンや暖簾等が求められている。
【課題を解決するための手段】
【００１５】
前述した各事情に鑑みて成されたものであり、本考案のスライド式吊り下げ布地は、吊り下げ布地と、前記吊り下げ布地の上端側へ設けられ、吊り下げポールが挿通される２つ以上の輪状部と、を有し、複数の前記吊り下げ布地は一本の前記吊り下げポールに対してそれぞれ前記輪状部を介して吊り下げた状態にて配設され、前記複数の吊り下げ布地はそれぞれ前記一本の吊り下げポールに対してスライドすることを特徴とする。
【考案の効果】
【００１６】
本考案では、住宅や店舗の様々の大きさの間口や戸口等に対して、簡易にスライド式吊り下げ布地を配設することができる。また、スライド式吊り下げ布地は、１本の吊り下げポールに対して複数枚の吊り下げ布地が吊り下げられ、個々の吊り下げ布地がスライド移動する。つまり、スライド式吊り下げ布地は、簡易に取り付けて使用ができ、デザイン性に優れたカーテンや暖簾等として利用される。
【図面の簡単な説明】
【００１７】
【図１】本考案の第１の実施形態におけるスライド式吊り下げ布地を説明するための（Ａ）正面図、（Ｂ）正面図である。
【図２】本考案の第１の実施形態におけるスライド式吊り下げ布地の吊り下げ布地を説明するための（Ａ）正面図、（Ｂ）断面図、（Ｃ）断面図である。
【図３】本考案の第２の実施形態におけるスライド式吊り下げ布地を説明するための（Ａ）正面図、（Ｂ）断面図、（Ｃ）正面図である。
【図４】本考案の第３の実施形態におけるスライド式吊り下げ布地の吊り下げ布地を説明するための（Ａ）正面図、（Ｂ）断面図、（Ｃ）正面図である。
【図５】従来のパネル型カーテンを説明するための（Ａ）斜視図、（Ｂ）斜視図、（Ｃ）斜視図である。
【考案を実施するための形態】
【００１８】
以下に、本考案の第１の実施形態であるスライド式吊り下げ布地を図面に基づき詳細に説明する。尚、第１の実施形態の説明の際には、同一の部材には原則として同一の符番を用い、繰り返しの説明は省略する。
【００１９】
図１（Ａ）は、スライド式吊り下げ布地が閉められた状態を説明する正面図であり、図１（Ｂ）は、図１（Ａ）に示すスライド式吊り下げ布地が開けられた状態を説明する正面図である。図２（Ａ）は、図１（Ａ）に示すスライド式吊り下げ布地を構成する１枚の吊り下げ布地を説明する正面図であり、図２（Ｂ）は、図２（Ａ）に示す吊り下げ布地のＡ−Ａ線方向の断面を説明する断面図であり、図２（Ｃ）は、図２（Ａ）に示すＢ−Ｂ線方向の断面を説明する断面図である。
【００２０】
図１（Ａ）に示す如く、スライド式吊り下げ布地１は、主に、複数枚の吊り下げ布地２Ａ〜２Ｄと、吊り下げ布地２Ａ〜２Ｄの上端側の両端部に縫合されているタグ３Ａ〜３Ｄ、４Ａ〜４Ｄと、吊り下げ布地２の上端側に形成される収納部５（図２（Ｂ）参照）と、収納部５内に配設されている布地固定用棒６（図２（Ｂ）参照）とを有している。
【００２１】
そして、複数枚の吊り下げ布地２Ａ〜２Ｄが吊り下げポール７に吊り下げられ、吊り下げポール７の延在方向にスライドすることで、スライド式吊り下げ布地１の開閉動作が行われる。図１（Ａ）では、４枚の吊り下げ布地２Ａ〜２Ｄが吊り下げポール７に吊り下げられ、例えば、図１（Ｂ）に示すように、ラーメン店等の飲食店の軒先に配設された場合には、スライド式吊り下げ布地１は暖簾として利用されている。また、スライド式吊り下げ布地１はカーテンとして利用される場合でも良い。
【００２２】
本実施形態のスライド式吊り下げ布地１は、吊り下げポール７に吊り下げる吊り下げ布地２の枚数を変更することで、住宅の様々なサイズの戸口や間口に対して配設することが可能となる。例えば、階段の間口や通路の入り口や出口等に目隠しとして使用でき、例えば、その開口に伸縮自在のポールを配設し、そのポールに２枚の吊り下げ布地２Ａ、２Ｂを吊り下げ、両方向からスライドして開閉動作が行われる場合でも良い。
【００２３】
つまり、本実施形態のスライド式吊り下げ布地１は、様々の大きさの開口に対しても簡易に配設され、利用されることができる。
【００２４】
次に、図１（Ａ）及び図１（Ｂ）を用いて、スライド式吊り下げ布地１の配設状況及びその開閉動作について説明する。
【００２５】
先ず、図１（Ａ）に示す如く、４枚の吊り下げ布地２Ａ〜２Ｄには、それぞれその上端側の両端部にタグ３Ａ〜３Ｄ、４Ａ〜４Ｄが取り付けられている。例えば、タグ３Ａ〜３Ｄはそれぞれ吊り下げ布地２Ａ〜２Ｄの紙面左側の端部に縫合され、タグ４Ａ〜４Ｄはそれぞれ吊り下げ布地２Ａ〜２Ｄの紙面右側の端部に縫合されている。そして、それぞれのタグ３Ａ〜３Ｄ、４Ａ〜４Ｄが１本の吊り下げポール７に挿通されることで、吊り下げ布地２Ａ〜２Ｄは吊り下げポール７に吊り下げられている。
【００２６】
ここで、紙面左側から順に吊り下げ布地２Ａ、２Ｂ、２Ｃ、２Ｄが配列され、吊り下げ布地２Ａ、２Ｂ及び吊り下げ布地２Ｃ、２Ｄは、それぞれその一部が重畳している。
【００２７】
具体的には、吊り下げ布地２Ａのタグ４Ａは、吊り下げ布地２Ｂのタグ３Ｂよりも紙面右側に位置するように、吊り下げポール７に挿通されている。この挿通方法により、吊り下げ布地２Ａ、２Ｂには、常時、重畳領域８Ａが形成されている。
【００２８】
同様に、吊り下げ布地２Ｃのタグ４Ｃは、吊り下げ布地２Ｄのタグ３Ｄよりも紙面右側に位置するように、吊り下げポール７に挿通されている。この挿通方法により、吊り下げ布地２Ｃ、２Ｄには、常時、重畳領域８Ｂが形成されている。
【００２９】
次に、図１（Ｂ）に示す如く、利用者が店内へ入店する際に、吊り下げ布地２Ｂ、２Ｃの間に両手を入れ紙面左右方向へ手を移動させると、吊り下げ布地２Ｂは吊り下げ布地２Ａ側へ移動し、吊り下げ布地２Ｃは吊り下げ布地２Ｄ側へ移動する。
【００３０】
図示したように、吊り下げ布地２Ｂのタグ３Ｂが、吊り下げ布地２Ａのタグ３Ａに接触するまでは、吊り下げ布地２Ｂは吊り下げポール７に対して単独にてスライドする。そして、タグ３Ｂ、３Ａが接触することで、吊り下げ布地２Ｂのスライド移動が終了する。
【００３１】
このとき、吊り下げ布地２Ａのタグ３Ａが、吊り下げポール７に固定されている場合には、スライド式吊り下げ布地１の開く状態は終了する。一方、吊り下げ布地２Ａのタグ３Ａが吊り下げポール７に固定されてなく、更に、吊り下げポール７に対して移動可能な場合には、吊り下げ布地２Ａ、２Ｂは重畳した状態にて、共に、吊り下げポール７に対してスライドすることが可能となる。
【００３２】
尚、吊り下げ布地２Ｃ、２Ｄ側も、吊り下げ布地２Ａ、２Ｂ側と同様な動きをするので、その説明は省略する。
【００３３】
そして、利用者は、スライド式吊り下げ布地１の奥にあるお店の扉９を開け、店内に入ることができる。利用者は、入店の際に、再び、吊り下げ布地２Ｂ、２Ｃを掴み、中央側へと引っ張ることで、図１（Ａ）に示すように、スライド式吊り下げ布地１は閉じられた状態となる。
【００３４】
上述したように、スライド式吊り下げ布地１では、隣り合う吊り下げ布地２Ａ、２Ｂ同士は、常時、重畳領域８Ａを有するように配列されている。この構造により、吊り下げ布地２Ａ、２Ｂが単独にてスライド移動する距離は制限されるが、１本の吊り下げポール７に対して複数枚の吊り下げ布地２Ａ〜２Ｄを配列することが可能となる。
【００３５】
図２（Ａ）は、スライド式吊り下げ布地１を構成する１枚の吊り下げ布地２Ａを示している。尚、図２（Ａ）〜図２（Ｃ）では、吊り下げ布地２Ａを用いて説明するが、その他の吊り下げ布地２Ｂ〜２Ｄに関しても吊り下げ布地２Ａと同じ構成であり、その説明を参照することとし、ここではその説明は省略する。
【００３６】
吊り下げ布地２Ａは、例えば、綿素材、麻素材、絹素材、ポリエステル等の化学素材等から形成され、吊り下げ布地２Ａの表面には店名等の文字や花柄、キャラクター等の絵柄が施されている場合でも良い。
【００３７】
吊り下げ布地２Ａは、例えば、短冊形状であり、その長手方向が吊り下げポール７（図１（Ａ）参照）の延在方向と鉛直方向となり、その短手方向が吊り下げポール７の延在方向と水平方向となる。尚、図示していないが、吊り下げ布地２Ａは、その端側面が、例えば、１ｃｍ程度折り返されて縫合されることで、裁断ラインが補強されている。
【００３８】
タグ３Ａ、３Ｂは、例えば、吊り下げ布地２Ａと同一素材であり、帯形状の布地が吊り下げ布地２を表裏面側から挟み込むように縫合されることで、吊り下げポール７が挿通される輪状部１０（図２（Ｃ）参照）を有している。
【００３９】
上述したように、タグ３Ａ、３Ｂは、吊り下げ布地２Ａの上端側の両端部に縫合されている。そして、このタグ３Ａ、３Ｂ間の離間距離Ｌ１が、隣り合って配列される吊り下げ布地２Ｂ（図１（Ａ）参照）が単独にてスライド可能な距離となる。
【００４０】
この構造により、タグ３Ａ、３Ｂは、１枚の吊り下げ布地２Ａに対して２つ取り付けられる場合が好ましいが、この場合に限定されるものではなく、３つ以上のタグが取り付けられ、複数の吊り下げ布地が重畳しながらスライド移動する場合でも良い。
【００４１】
図２（Ｂ）は、図２（Ａ）に示すＡ−Ａ線方向の断面を示しているが、吊り下げ布地２Ａでは、タグ３Ａ、３Ｂが取り付けられる上端側が、例えば、５ｃｍ程度折り返され、吊り下げ布地２Ａ同士が重畳して縫合されている。
【００４２】
このとき、この重畳領域１１（図２（Ａ）参照）には、折り返された布地の先端部が縫合されることで、吊り下げ布地２Ａ間に収納部５が形成されている。収納部５は、吊り下げポール７（図１（Ａ）参照）の延在方向に沿って形成されている。
【００４３】
収納部５には布地固定用棒６が収納されている。収納部５に布地固定用棒６が収納されることで、吊り下げ布地２Ａがスライド移動する際に、吊り下げ布地２Ａが寄れて縮小したりすることが防止される。そして、吊り下げ布地２Ａは、ほぼ短冊形状を維持した状態にてスライド移動することが可能となる。
【００４４】
図２（Ｃ）は、図２（Ａ）に示すＢ−Ｂ線方向の断面を示しているが、タグ３Ａは吊り下げ布地２を表裏面側から挟み込むように縫合されている。そして、タグ３Ａの取り付け領域の重畳領域１１では、収納部５の上端側領域１１Ａが開口し、その開口領域から布地固定用棒６（図２（Ｂ）参照）が収納部５内へと出し入れされる。
【００４５】
一方、タグ３Ａの取り付け領域の重畳領域１１では、収納部５の下端側領域１１Ｂが縫合により閉口している。下端側領域１１Ｂの長さは、例えば、布地固定用棒６の直径よりも長くなっている。
【００４６】
この構造により、布地固定用棒６は収納部５の上端側領域１１Ａの開口領域から収納部５内へ入れられた後、収納部５の下端側領域１１Ｂへと移動する。そして、収納部５の下端側領域１１Ｂの両端部は閉口している構造により、吊り下げ布地２Ａがスライド移動する際に布地固定用棒６が収納部５から抜け出すことが防止される。そして、吊り下げ布地２Ａは、寄れることなくほぼ短冊形状を維持して吊り下げポール７に吊り下げられている。
【００４７】
更には、タグ３Ａの輪状部１０の内側には、太線にて示すように、例えば、ポリエステル等の摺動性に優れた摺動生地１２が編み込まれている。輪状部１０の内側は、直接、吊り下げポール７と接触する部分であり、その接触領域に摺動生地１２が配置されることでタグ３Ａと吊り下げポール７との摩擦抵抗が低減さえ、吊り下げ布地２のスムーズなスライド移動が実現される。尚、摺動生地１２は、必ずしも輪状部１０の内側に取り付けられる必要はなく、適宜、採用されれば良い。
【００４８】
尚、本実施形態では、スライド式吊り下げ布地１として、その中央から紙面左右方向に吊り下げ布地がスライド移動する暖簾について説明したが、この場合に限定するものではない。例えば、一本の吊り下げポールに対して３枚の吊り下げ布地２を配列し、３枚の吊り下げ布地２が同一方向にスライド移動する場合でも良い。この場合、スライド式吊り下げ布地１が最も開いた状態では、３枚の吊り下げ布地２が重畳した状態となっている。
【００４９】
また、４枚の吊り下げ布地２Ａ〜２Ｄには、それぞれその上端側の両端部にタグ３Ａ〜３Ｄ、４Ａ〜４Ｄが取り付けられている場合について説明したが、この場合に限定するものではない。例えば、タグ３Ａ〜３Ｄ、４Ａ〜４Ｄが取り付けられている位置に、タグに替えてリング式クリップランナーを取り付ける場合でも良い。この場合には、リング式のクリップランナーのリング部（輪状部）に吊り下げポールが挿通されることで、上記タグの構造の場合と同様な効果が得られる。その他、本考案の要旨を逸脱しない範囲で、種々の変更が可能である。
【００５０】
以下に、本考案の第２の実施形態であるスライド式吊り下げ布地を図面に基づき詳細に説明する。尚、第２の実施形態の説明の際には、同一の部材には原則として同一の符番を用い、繰り返しの説明は省略する。
【００５１】
図３（Ａ）は、スライド式吊り下げ布地を構成する１枚の吊り下げ布地を説明する正面図であり、図３（Ｂ）は、図３（Ａ）に示す吊り下げ布地のＣ−Ｃ線方向の断面を説明する断面図であり、図３（Ｃ）は、スライド式吊り下げ布地を説明する正面図である。
【００５２】
本実施形態のスライド式吊り下げ布地２１は、主に、吊り下げ布地２２Ａと、吊り下げ布地２２Ａの上端近傍の両端部に縫合されているタグ２３Ａ、２４Ａと、吊り下げ布地２２Ａの上端側に形成される収納部２５（図３（Ｂ）参照）と、収納部２５内に配設されている布地固定用棒２６（図３（Ｂ）参照）とを有している。
【００５３】
尚、第２の実施形態のスライド式吊り下げ布地２１と上述した第１の実施形態のスライド式吊り下げ布地１とは、タグ２３Ａ、２４Ａの縫製位置及び収納部２５の位置が異なり、その他の構造、材料等は同じである。そのため、第２の実施形態では、主に、その異なる構造を説明し、その他の説明に関しては、上述した第１実施形態の説明を参照し、ここではその説明を割愛する。
【００５４】
図３（Ａ）及び（Ｂ）に示す如く、吊り下げ布地２２Ａの上端側は、例えば、５ｃｍ程度折り返され、吊り下げ布地２２Ａ同士が重畳して縫合されている。この重畳領域２７には、折り返された布地の先端部が縫合されることで、吊り下げ布地２２Ａ間に収納部２５が形成されている。そして、収納部２５は吊り下げポール２８の延在方向に沿って形成され、収納部２５には布地固定用棒２６が収納されることで、吊り下げ布地２２Ａがスライド移動する際に、吊り下げ布地２２Ａが寄れて縮小したりすることが防止される。
【００５５】
タグ２３Ａ、２４Ａは、吊り下げ布地２２Ａの上端側下方の重畳領域２７であり、短手方向の両端部に縫合されている。例えば、タグ２３Ａ、２４Ａは、その上下方向の側面が縫合されることで、吊り下げポール２８の延在方向の両側面が開口し輪状部２９が形成されている。尚、第１の実施形態と同様に、輪状部２９には、例えば、ポリエステル等の摺動性に優れた摺動生地１２が編み込まれている場合でも良い。
【００５６】
図３（Ｃ）に示す如く、それぞれのタグ２３Ａ〜２３Ｂ、２４Ａ〜２４Ｂが１本の吊り下げポール２８に挿通されることで、吊り下げ布地２２Ａ〜２２Ｂは吊り下げポール２８に吊り下げられている。
【００５７】
具体的には、吊り下げ布地２２Ａのタグ２４Ａは、吊り下げ布地２２Ｂのタグ２４Ｂよりも紙面右側に位置するように、吊り下げポール２８に挿通されている。この挿通方法により、吊り下げ布地２２Ａ、２２Ｂには、常時、重畳領域３０が形成されている。この構造により、スライド移動動作や効果は第１の実施形態のスライド式吊り下げ布地１と同様である。
【００５８】
本実施形態のスライド式吊り下げ布地２１では、吊り下げポール２８が吊り下げ布地２２Ａ、２２Ｂにより目隠しされる領域が存在する。図示したように、吊り下げ布地２２Ｂは、吊り下げ布地２２Ａと表裏逆にして吊り下げポール２８に吊り下げられている。この構造により、吊り下げポール２８の一部は吊り下げ布地２２Ｂにより目隠されたスライド式吊り下げ布地２１が配設されている。尚、図３（Ｃ）に示す反対面からスライド式吊り下げ布地２１を見た場合には、吊り下げポール２８の一部は吊り下げ布地２２Ａにより目隠されている。
【００５９】
以下に、本考案の第３の実施形態であるスライド式吊り下げ布地を図面に基づき詳細に説明する。尚、第３の実施形態の説明の際には、同一の部材には原則として同一の符番を用い、繰り返しの説明は省略する。
【００６０】
図４（Ａ）は、スライド式吊り下げ布地を構成する１枚の吊り下げ布地を説明する正面図であり、図４（Ｂ）は、図４（Ａ）に示す吊り下げ布地のＤ−Ｄ線方向の断面を説明する断面図であり、図４（Ｃ）は、スライド式吊り下げ布地を説明する正面図である。
【００６１】
本実施形態のスライド式吊り下げ布地４１は、主に、吊り下げ布地４２Ａと、吊り下げ布地４２Ａの上端側の両端部近傍に開口されている開口部４３Ａ、４４Ａと、吊り下げ布地４２Ａの上端側に形成される収納部４５（図４（Ｂ）参照）と、収納部４５内に配設されている布地固定用棒４６（図４（Ｂ）参照）とを有している。
【００６２】
尚、第３の実施形態のスライド式吊り下げ布地４１と上述した第１の実施形態のスライド式吊り下げ布地１とは、タグを使用することなく吊り下げ布地４２Ａに開口部４３Ａ、４４Ａを設けている構造及び収納部４５の位置が異なり、その他の構造、材料等は同じである。そのため、第３の実施形態では、主に、その異なる構造を説明し、その他の説明に関しては、上述した第１実施形態の説明を参照し、ここではその説明を割愛する。
【００６３】
図４（Ａ）及び（Ｂ）に示す如く、吊り下げ布地４２Ａの上端側は、例えば、５ｃｍ程度折り返され、吊り下げ布地４２Ａ同士が重畳して縫合されている。この重畳領域４７には、折り返された布地の先端部が縫合されることで、吊り下げ布地４２Ａ間に収納部４５が形成されている。そして、収納部４５は吊り下げポール４８の延在方向に沿って形成され、収納部４５には布地固定用棒４６が収納されることで、吊り下げ布地４２Ａがスライド移動する際に、吊り下げ布地４２Ａが寄れて縮小したりすることが防止される。
【００６４】
開口部４３Ａ、４４Ａは、吊り下げ布地４２Ａの上端側下方の重畳領域４７であり、短手方向の両端部近傍に形成されている。重畳領域４７では、その先端側が縫製されて中空構造となり、開口部４３Ａ、４４Ａが形成されることで、吊り下げポール４８が挿通される輪状部４９が形成される。尚、第１の実施形態と同様に、輪状部４９には、例えば、ポリエステル等の摺動性に優れた摺動生地１２が編み込まれている場合でも良い。
【００６５】
図４（Ｃ）に示す如く、吊り下げ布地４２Ａ〜４２Ｂは、それぞれの開口部４３Ａ〜４３Ｂ、４４Ａ〜４４Ｂを介して１本の吊り下げポール４８に挿通され、吊り下げポール４８に吊り下げられている。
【００６６】
具体的には、吊り下げ布地４２Ａの開口部４４Ａは、吊り下げ布地４２Ｂの開口部４４Ｂよりも紙面右側に位置するように、吊り下げポール４８に挿通されている。この挿通方法により、吊り下げ布地４２Ａ、４２Ｂには、常時、重畳領域５０が形成されている。この構造により、スライド移動動作や効果は第１の実施形態のスライド式吊り下げ布地１と同様である。
【００６７】
本実施形態のスライド式吊り下げ布地４１では、吊り下げポール４８が吊り下げ布地４２Ａ、４２Ｂにより目隠しされる領域が存在する。図示したように、吊り下げ布地４２Ｂは、吊り下げ布地４２Ａと表裏逆にして吊り下げポール４８に吊り下げられている。この構造により、吊り下げポール４８の一部が吊り下げ布地４２Ｂにより目隠されたスライド式吊り下げ布地４１が配設されている。尚、図４（Ｃ）に示す反対面からスライド式吊り下げ布地４１を見た場合には、吊り下げポール４８の一部は吊り下げ布地４２Ａにより目隠されている。
【符号の説明】
【００６８】
１  スライド式吊り下げ布地
２、２Ａ、２Ｂ、２Ｃ、２Ｄ  吊り下げ布地
３Ａ、３Ｂ、３Ｃ、３Ｄ  タグ
４Ａ、４Ｂ、４Ｃ、４Ｄ  タグ
５  収納部
６  布地固定用棒
７  吊り下げポール
１０  輪状部
１１  重畳領域
２１  スライド式吊り下げ布地
２２Ａ、２２Ｂ  吊り下げ布地
２３Ａ、２３Ｂ  タグ
２４Ａ、２４Ｂ  タグ
２５  収納部
２６  布地固定用棒
２７  重畳領域
２８  吊り下げポール
２９  輪状部
４１  スライド式吊り下げ布地
４２Ａ、４２Ｂ  吊り下げ布地
４３Ａ、４３Ｂ  開口部
４４Ａ、４４Ｂ  開口部
４５  収納部
４６  布地固定用棒
４７  重畳領域
４８  吊り下げポール
４９  輪状部
【図１】
0003203163.tif 000003
【図２】
0003203163.tif 000004
【図３】
0003203163.tif 000005
【図４】
0003203163.tif 000006
【図５】
0003203163.tif 000007
【手続補正書】
【提出日】平成28年1月13日(2016.1.13)
【手続補正１】
【補正対象書類名】実用新案登録請求の範囲
【補正対象項目名】全文
【補正方法】変更
【補正の内容】
【実用新案登録請求の範囲】
【請求項１】
吊り下げ布地と、
前記吊り下げ布地の上端側へ設けられ、吊り下げポールが挿通される２つ以上の輪状部と、を有し、
複数の前記吊り下げ布地は一本の前記吊り下げポールに対してそれぞれ前記輪状部を介して吊り下げた状態にて配設され、前記複数の吊り下げ布地はそれぞれ前記一本の吊り下げポールに対してスライドすることを特徴とするスライド式吊り下げ布地。
【請求項２】
前記輪状部は、前記吊り下げ布地に縫製されているタグまたは前記吊り下げ布地の一部を開口した開口部またはリング式クリップランナーであることを特徴とする請求項１に記載のスライド式吊り下げ布地。
【請求項３】
前記吊り下げ布地の前記上端側は折り返され重畳して縫製された重畳領域を有し、前記重畳領域には前記一本の吊り下げポールの延在方向に開口した収納部が形成され、
前記収納部には前記一本の吊り下げポールに沿って布地固定用棒が挿入されていることを特徴とする請求項２に記載のスライド式吊り下げ布地。
【請求項４】
前記タグ内側の前記一本の吊り下げポールと接触する領域には摺動生地が縫合されていることを特徴とする請求項２または請求項３に記載のスライド式吊り下げ布地。
【請求項５】
前記複数の吊り下げ布地には、第１の吊り下げ布地と、前記第１の吊り下げ布地とその一部が常時重畳して配設される第２の吊り下げ布地と、を有し、
前記第１及び第２の吊り下げ布地にはそれぞれ前記上端側の両端部に前記タグが取り付けられ、
前記第２の吊り下げ布地側に位置する前記第１の吊り下げ布地の前記タグは、前記第１の吊り下げ布地側に位置する前記第２の吊り下げ布地の前記タグよりも前記第２の吊り下げ布地側へ配設されていることを特徴とする請求項２から請求項４のいずれか１項に記載のスライド式吊り下げ布地。
【請求項６】
前記吊り下げ布地は、カーテン用布地または暖簾用布地であることを特徴とする請求項１から請求項５のいずれか１項に記載のスライド式吊り下げ布地。